(57)【要約】【課題】  緊急放送を受信したときに、ユーザーが在室しているか否かを判断して、その判断結果に基づいてユーザーに対して最適な通知を行う。【解決手段】  緊急放送受信機能を有するチューナ部と、該チューナ部で受信した緊急放送を表示する表示部と、該チューナ部で緊急放送受信した時に、ユーザーに緊急放送受信状態を報知する報知手段（ステップＳ３）と、該報知手段で緊急放送受信状態を報知したときにユーザーの在室を検出する在室確認手段（ステップＳ４，Ｓ６）と、該在室確認手段で在室確認が行われたときに前記表示部で緊急放送を表示する緊急放送表示手段（ステップＳ５）と、前記在室確認手段で在室確認が行えないときに緊急連絡先に対して緊急放送受信通知を送出する通知送出手段（ステップＳ７〜Ｓ９）とを備えている。【選択図】  図２
2006229284.tif 000002
【特許請求の範囲】
【請求項１】
緊急放送受信機能を有するチューナ部と、該チューナ部で受信した緊急放送を表示する表示部と、該チューナ部で緊急放送受信した時に、ユーザーに緊急放送受信状態を報知する報知手段と、該報知手段で緊急放送受信状態を報知したときにユーザーの在室を検出する在室確認手段と、該在室確認手段で在室確認が行われたときに前記表示部で緊急放送を表示する緊急放送表示手段と、前記在室確認手段で在室確認が行えないときに緊急連絡先に対して緊急放送受信通知を送出する通知送出手段とを備えたことを特徴とする緊急放送報知装置。
【請求項２】
前記報知手段は、緊急放送を受信した時に、警報音を放声する警報音発生器で構成されていることを特徴とする請求項１に記載の緊急放送報知装置。
【請求項３】
前記在室確認手段は、前記報知手段が緊急放送受信状態を報知したときに、所定時間以内に緊急放送の受信確認操作が行われたか否かを検出して在室確認を行うように構成されていることを特徴とする請求項１又は２に記載の緊急放送報知装置。
【請求項４】
前記在室確認手段は、前記報知手段が緊急放送受信状態を報知したときに、携帯電話機に対して全地球測位システムによる現在位置情報の送信を要求し、受信した現在位置情報に基づいて在室であるか否かを確認するように構成されていることを特徴とする請求項１又は２に記載の緊急放送報知装置。
【請求項５】
前記通知送出手段は、ユーザーの所有する携帯端末に緊急放送受信通知を送出するように構成されていることを特徴とする請求項１乃至４の何れか１項に記載の緊急放送報知装置。
【請求項６】
前記通知送出手段は、ユーザーの所有する携帯端末に緊急放送受信通知を電子メールで送信するように構成されていることを特徴とする請求項１乃至４の何れか１項に記載の緊急放送報知装置。
【発明の詳細な説明】
【技術分野】
【０００１】
本発明は、地震、津波等の災害発生時にデジタル放送などで緊急放送が放送された時に緊急放送を受信した旨を視聴者に確実に報知することができる緊急放送報知装置に関する。
【背景技術】
【０００２】
従来の緊急放送報知装置としては、例えば通常のアナログ放送において、緊急放送のアラーム音及び文字による緊急情報を受信したときに非動作状態にあるアナログテレビ受信装置の電源を自動的にオンするようにした緊急情報受信装置が知られている（例えば、特許文献１参照）。
また、外出中に緊急警報が放送されたときに、緊急放送を受信すると共に、メモリに記憶されている電話番号のデータを読み出してこれを電話通信処理回路に送出し、この電話通信処理回路でオートダイヤル機能によって自動的に電話番号に電話をかけ、音声処理回路から出力される警報放送における音声信号を送出するようにした放送受信装置も知られている（例えば、特許文献２参照）。
【特許文献１】特開平７−２６４５１２号公報（第１頁、図１）
【特許文献２】特開２００１−２１１４４１号公報（第１頁、図１）
【発明の開示】
【発明が解決しようとする課題】
【０００３】
しかしながら、上記特許文献１に記載された従来例にあっては、アナログ放送の緊急情報を受信したときに、アナログ放送受信装置の電源を自動的にオンするので、視聴者がアナログ放送受信装置を設置した部屋に在室している場合には視聴することができるが、在宅しているがアナログ放送受信装置を設置した部屋とは異なる部屋に居る場合には全く視聴できず、ましてや不在であるときには、アナログ放送受信装置の電源オン状態が継続されることになり不経済であるという未解決の課題がある。
【０００４】
また、上記特許文献２に記載された従来例にあっては、緊急放送の開始を示す情報が検出されたときに緊急放送の音声信号を、電話回線を通じてユーザーが所有する携帯電話に送信することができるので、ユーザーが不在であるときに有効であるが、ユーザーが在室しているか否かにかかわらず携帯電話に緊急放送の情報を送出するので、これが普及した場合には通信時間の長い無用の通信回線使用が生じることになり、緊急時の通話が制限されてしまうという未解決の課題がある。
【０００５】
そこで、本発明は、上記従来例の未解決の課題に着目してなされたものであり、緊急放送を受信したときに、ユーザーが在室しているか否かを判断して、その判断結果に基づいてユーザーに対して最適な通知を行うことができる緊急放送報知装置を提供することを目的としている。
【課題を解決するための手段】
【０００６】
第１の技術手段に係る緊急放送報知装置は、緊急放送受信機能を有するチューナ部と、該チューナ部で受信した緊急放送を表示する表示部と、該チューナ部で緊急放送受信した時に、ユーザーに緊急放送受信状態を報知する報知手段と、該報知手段で緊急放送受信状態を報知したときにユーザーの操作を検出する在室確認手段と、該在室確認手段で在室確認が行われたときに前記表示部で緊急放送を表示する緊急放送表示手段と、前記在室確認手段で在室確認が行えないときに緊急連絡先に対して緊急放送受信通知を送出する通知送出手段とを備えたことを特徴としている。
【０００７】
この第１の技術手段では、緊急放送を受信したときに、報知手段でユーザーに緊急放送受信状態を報知し、このときにユーザーがリモートコントロール機器などを操作したりＴＶ本体のスイッチを操作したりしたときには在室確認手段で在室であることを検出して、緊急法放送が表示装置で表示されるが、ユーザーの操作がないときにはユーザーが在室していないものと判断して通知送出手段で緊急放送受信通知を緊急連絡先に送出することができ、ユーザーの在室の有無を判断して最適な報知方法を選択することができ、無駄な通話や消費電力が生じることを確実に防止することができる。
【０００８】
また、第２の技術手段に係る緊急放送報知装置は、第１の技術手段において、前記報知手段は、緊急放送を受信した時に、警報音を放声する警報音発生器で構成されていることを特徴としている。
この第２の技術手段では、報知手段を警報音発生器で構成しているので、緊急放送を受信したときに警報音を発することができ、ユーザーが在室していれば、警報音に基づいて緊急放送の受信状態を正確に認識することができ、リモートコントロール機器などを操作することができる。
【０００９】
さらに、第３の技術手段に係る緊急放送報知装置は、第１又は第２の技術手段において、前記在室確認手段は、前記報知手段で緊急放送受信状態を報知したときに、所定時間以内に緊急放送の受信確認操作が行われたか否かを検出して在室確認を行うように構成されていることを特徴としている。
この第３の技術手段では、在室確認手段は、緊急放送受信状態を報知してから所定時間内にリモートコントロール機器の操作等の緊急放送の受信確認操作が行われたか否かを検出して在室確認を行うようにしたので、ユーザーの在室確認を正確に行うことができる。
【００１０】
さらにまた、第４の技術手段に係る緊急放送報知装置は、第１又は第２の技術手段において、前記在室確認手段は、前記報知手段が緊急放送受信状態を報知したときに、携帯電話機に対して全地球測位システムによる現在位置情報の送信を要求し、受信した現在位置情報に基づいて在室であるか否かを確認するように構成されていることを特徴としている。
【００１１】
この第４の技術手段では、携帯電話機に設けられた全地球測位システムによる現在位置情報を取得し、この現在位置に基づいて在室しているか否かを判断するので、在室か否かを容易に判断することができる。
なおさらに、第５の技術手段に係る緊急放送報知装置は、第１乃至第４の何れか１つの技術手段において、前記通知送出手段は、ユーザーの所有する携帯端末に緊急放送受信通知を送出するように構成されていることを特徴としている。
【００１２】
この第５の技術手段では、ユーザーが在室していないと判断されたときには、ユーザーの所有する携帯電話機、ＰＤＡ等の携帯端末に緊急放送受信通知を送信するので、他の部屋に居るユーザーや外出しているユーザーに対して確実に緊急放送受信状態を報知することができる。
また、第６の技術手段に係る緊急放送報知装置は、第１乃至第４の何れかの技術手段において、前記通知送出手段は、ユーザーの所有する携帯端末に緊急放送受信通知を電子メールで送信するように構成されていることを特徴としている。
【００１３】
この第６の技術手段では、緊急放送受信状態を電子メールで送信するので、短い送信時間で正確に報知することができる。
【発明を実施するための最良の形態】
【００１４】
以下、本発明の実施の形態を図面に基づいて説明する。
図１は本発明の一実施形態を示すブロック図であって，図中、１は緊急放送報知装置である。
この緊急放送報知装置１は、デジタル放送を受信するデジタル放送受信部２と、緊急放送を受信してユーザーが在室していないときに緊急放送受信状態を通知する緊急放送受信通知部３とを備えている。
【００１５】
デジタル放送受信部２は、デジタル放送電波を受信するアンテナ１１と、このアンテナ１１で受信したデジタル放送受信信号中の所望のチャンネルに応じた特定周波数の信号を抽出してから復調して選局受信を行ってトランスポートストリーム（以下、ＴＳと称す）を出力するチューナ部１２と、チューナ部１２から出力されるＴＳを、ＭＰＥＧ２のビデオＴＳパケット、オーディオＴＳパケット、ＰＳＩ（Program Specific Information）及びプログラムデータパケットに分離するデマルチプレクサ部１３と、このデマルチプレクサ部１３で分離されたビデオＴＳパケット及びオーディオＴＳパケットを復号してアナログ映像信号及びアナログ音声信号に変換するＭＰＥＧデコーダ１４と、このＭＰＥＧデコーダ１４から出力されるアナログ映像信号が映像処理部１５を介して入力される表示装置１６と、ＭＰＥＧデコーダ１５から出力されるアナログ音声信号が音声処理部１７を介して入力されるスピーカ１８とを備えている。
【００１６】
また、緊急放送受信通知部３は、チューナ部１２に接続された緊急放送のデータを記憶する緊急放送データ記憶部２１と、チューナ部１２で受信したデジタル放送受信信号に含まれるＴＭＣＣ信号に設定された緊急放送ビットを検出する緊急放送ビット検出部２２と、携帯電話機２３にインターネット２４及び基地局２５を介して電子メールの授受を行う通信制御部２６とを備えている。
【００１７】
そして、デジタル放送受信部２及び緊急放送通知部３がコントローラ３０によって制御される。このコントローラ３０には、リモートコントロール機器としてのリモコン３１からのリモコン信号を受信するリモコン受信部３２が接続されていると共に、ユーザーの所有する携帯電話機２３の電子メールアドレスを記憶するデータ記憶部３３が接続されている。また、コントローラ３０には、緊急放送ビット検出部２２から出力される緊急ビット検出信号が入力されると共に，通信制御部２６に対して緊急放送状態報知メールを出力すると共に、携帯電話機２３から緊急放送データの送信要求があったときに緊急放送データ記憶部２１に記憶されている緊急放送データを添付した電子メールを出力する。
【００１８】
ここで、少なくともチューナ部１２及びコントローラ３０には電源オフ時でも常時待機電力が供給され、緊急放送を受信可能とされている。
そして、コントローラ３０では、通常時は、リモコン２１から送信される電源オン信号によって、各部に電源が供給されて、デジタル放送の視聴状態となり、リモコン２１からのチャンネル選択信号によってチューナ部１２でチャネル番号に対応した周波数のデジタル放送受信信号を抽出してから復調及び復号してＴＳが出力される。このＴＳがデマルチプレクサ部１３に供給されることにより、ビデオＴＳパケット、オーディオＴＳバケット、ＰＳＩ及びプログラムデータパケットに分離され、ビデオＴＳパケット及びオーディオＴＳパケットがＭＰＥＧデコーダ１４に供給されて復号されてからアナログ映像信号及びアナログ音声信号に変換される。そして、アナログ映像信号が表示装置１５に供給されることにより、この表示装置１５でデジタル放送の所望チャンネルの映像が表示され、一方アナログ音声信号がスピーカ１６に供給されることにより、該当チャンネルの音声が放声される。
【００１９】
一方、デマルチプレクサ部１３で分離されたＰＳＩ及びプログラムデータは、コントローラ３０に入力されて、これらＰＳＩ及びプログラムデータに基づいてチューナ部１２、デマルチプレクサ部１３及びＭＰＥＧデコーダ１４が制御される。
また、コントローラ３０は、図２に示す緊急放送受信処理を実行する。この緊急放送受信処理は、緊急放送ビット検出部２２で緊急放送ビットが“１”に設定された緊急放送のＴＭＣＣ信号を受信したときに出力される検出信号が入力されたときに外部割込処理として実行開始される。
【００２０】
すなわち、緊急放送受信処理は、先ず、ステップＳ１で、電源が投入状態で、デジタル放送を受信状態であるか否かを判定し、電源投入状態であるときにはそのまま緊急放送受信処理を終了し、電源が投入されていない状態であるときにはステップＳ２に移行する。
このステップＳ２では、電源を投入して各部に電力を供給し、ついでステップＳ３に移行して、緊急放送を受信したことを表す所定のアラーム音を音声処理部１７に供給してスピーカ１６から放声させてからステップＳ４に移行する。
【００２１】
このステップＳ４では、リモコン受信部３２でリモコン３１からリモコン信号を受信したか否かを判定し、リモコン信号を受信したときには、ユーザーが在室しているものと判断してステップＳ５に移行し、デジタル放送受信部２で緊急放送を受信する状態として、緊急放送の映像データを表示装置１６に表示させると共に、音声データをスピーカ１８から放声させることにより、緊急放送の視聴状態としてから緊急放送受信処理を終了する。
【００２２】
一方、ステップＳ４の判定結果がリモコンからのリモコン信号を受信していないものであるときにはステップＳ６に移行して、緊急放送受信処理を開始してから予め設定されたユーザーの在室を確認するに十分な所定時間が経過したか否かを判定し、所定時間が経過していないときには前記ステップＳ４に戻り、所定時間が経過したときにはユーザーが在室していないものと判断してステップＳ７に移行する。
【００２３】
このステップＳ７では、データ記憶部３３に記憶されているユーザーが所有する携帯電話機２３のメールアドレスを指定し、緊急放送を受信した旨を表すメッセージを記載した電子メールを作成し、この電子メールを通信制御部２６に出力することにより、電子メールをインターネット２４及び基地局２５を介して携帯電話機２３に送信する。
次いで、ステップＳ８に移行して、携帯電話機２３から緊急放送データの送信要求を受信したか否かを判定し、緊急放送データの送信要求を受信したときには、ステップＳ９に移行して、緊急放送データ記憶部２１に記憶されている緊急放送データを添付した電子メールを作成し、これを携帯電話機２３に送信してからステップＳ１０に移行して、電源をオフ状態として待機状態としてから緊急放送受信処理を終了し、緊急放送データの送信要求を受信していないときにはステップＳ１１に移行して、所定時間が経過したか否かを判定し、所定時間が経過していないときには前記ステップＳ８に戻り、所定時間が経過したときには前記ステップＳ１０に移行する。
【００２４】
この図２の処理において、ステップＳ３が報知手段に対応し、ステップＳ４及びＳ６の処理が在室確認手段に対応し、ステップＳ５の処理が緊急放送表示手段に対応し、ステップＳ７〜Ｓ９の処理が通知送出手段に対応している。
次に、上記実施形態の動作を説明する。
今、ユーザーが電源を投入してデジタル放送を視聴しているものとすると、このデジタル放送の視聴状態で、緊急放送を受信したときには、チューナ部１２で受信したデジタル放送受信信号に含まれるＴＭＣＣ信号に設定された緊急放送ビットが“１”となり、これが緊急放送ビット検出部２２で検出されて例えば論理値“１”の緊急放送検出信号がコントローラ３０に入力される。このため、コントローラ３０で図２に示す緊急放送受信処理が開始されるが、現在デジタル放送を受信中であり、ユーザーが在室しているので、そのまま緊急放送受信処理を終了する。
【００２５】
しかしながら、電源がオフ状態となっており、ユーザーがデジタル放送を受信中でないときに待機電源で作動しているチューナ部１２で、緊急放送を受信した場合には、上記と同様に緊急放送ビット検出部２２から論理値“１”の検出信号がコントローラ３０に出力されるので、このコントローラ３０で図２の緊急放送受信処理が開始される。
この状態では、デジタル放送を受信していないので、ステップＳ１からステップＳ２に移行して、電源が投入されて各部に電力が供給され、次いでコントローラ３０から緊急放送用アラーム音が音声処理回路１７に出力されることにより、スピーカ１８から緊急放送アラーム音が放声される。
【００２６】
このとき、ユーザーが在室している場合には、緊急放送アラーム音を聴取することにより、緊急放送を受信したものと判断してリモコン３１を操作して緊急放送を受信するように電源をオンとするリモコン信号を送信する。このリモコン信号がリモコン受信部３２で受信されてコントローラ３０に入力されると、ユーザーが在室しているものと判断してステップＳ４からステップＳ５に移行して、緊急放送を受信して、表示装置１６に緊急放送映像データを表示すると共に、スピーカ１８から緊急放送音声データを放声することにより、ユーザーが緊急放送を視聴することができる。
【００２７】
ところが、デジタル放送を視聴していない状態で緊急放送を受信して、前述した緊急放送用アラーム音が放声されたときに、ユーザーが在室していない場合には、リモコン３１が操作されることはないので、ステップＳ４からステップＳ６に移行し、緊急放送受信処理を開始してから所定時間が経過するまではリモコン信号の受信確認を継続するが、所定時間が経過するとステップＳ７に移行して、予めデータ記憶部３３に記憶されているユーザーが所有する携帯電話機２３のアドレスを読出して、これを送信先アドレスとして設定すると共に、件名に緊急放送受信通知を記載した電子メールを作成し、これを通信制御部２６に送出して、インターネット２４及び基地局２５を介して携帯電話機２３に送信する。
【００２８】
この間に緊急放送データ記憶部２１には緊急放送の映像データ及び音声データが格納されており、ユーザーの携帯電話機２３から緊急放送送信要求を記載した電子メールを受信したときに、ステップＳ８からステップＳ９に移行して、緊急放送データ記憶部２１に記憶されている緊急放送データを添付ファイルとして添付した電子メールを作成し、これをユーザーの携帯電話機２３に送信する。
【００２９】
このため、ユーザーは受信した電子メールの添付ファイルを開くことにより、緊急放送データを視聴することができる。
その後、ステップＳ１０に移行して、電源をオフ状態として待機状態に復帰させてから緊急放送受信処理を終了する。
このように、上記実施形態においては、緊急放送用アラーム音を放声したときにリモコン３１が操作されてリモコン信号を受信するか否かでユーザーが在室しているか否かを正確に判断することができ、ユーザーが外出していたり、他の部屋に居たりして緊急放送報知装置１が設置された部屋に在室していないときにのみ緊急放送受信通知を行う電子メールをユーザーの携帯電話機２３に送信するので、むやみに緊急放送の音声噛合を電話回線を介して携帯電話機に送信する場合に比較して通話回数が増大することにより通話制限が実施されることを確実に防止することができると共に、緊急放送受信通知を電子メールで行うので、通信量も抑制することができる。
【００３０】
なお、上記実施形態においては、ユーザーが在室しているか否かの確認を緊急放送用アラーム音の放声と、これに対するリモコン３１の操作の有無で判断する場合について説明したが、これに限定されるものではなく、携帯電話機２３に全地球測位システム（ＧＰＳ）機能が装着されているときには、図３に示すように、前述した実施形態における図２の処理におけるステップＳ２及びＳ３間にユーザーの携帯電話機２３に対して現在位置の送信を要求する電子メールを送信するステップ２１と、携帯電話機２３から現在位置を通知する電子メールを受信したか否かを判定し、受信していないときには受信するまで待機し、受信したときには次のステップに移行するステップＳ２２と、受信した現在位置が緊急放送報知装置１を設置した部屋の近傍であるか否かを判定し、部屋の近傍であるときに前記ステップＳ４に移行し、部屋の近傍ではないときには、前記ステップＳ７にジャンプするステップＳ２３とが介挿されていることを除いては図２と同様の処理を行い、図２との対応部分には同一ステップ番号を付し、その詳細説明はこれを省略する。
【００３１】
この場合には、緊急放送を受信したときに、デジタル放送の受信中ではないときに、先ず、携帯電話機２３に現在位置の送信を要求する電子メールを送信し、携帯電話機２３から全地球測位システムで測定した現在位置を受信したときに、緊急放送報知装置１を設置した部屋の近傍であるか否かを判断し、近傍であるときには前述した実施形態と同様にユーザーが在室するか否かを確認してから緊急放送の視聴状態とするか緊急放送受信通知の電子メールを送信し、部屋の近傍でない場合にはユーザーが外出しているものと判断して直接ステップＳ７に移行して緊急放送受信通知を行う電子メールを携帯電話機２３宛に送信するので、ユーザーが外出している場合の緊急放送通知を瞬時に行うことができる。
【００３２】
また、上記実施形態においては、デジタル放送での緊急放送を受信した場合について説明したが、これに限定されるものではなく、アナログ放送であっても緊急放送のアラーム音を検出したり、緊急無線ラジオを併設したアナログテレビ受像機でも緊急放送を検出したりしたときに上記と同様の処理を行うことができる。
さらに、上記実施形態においては、携帯電話機２３に緊急放送受信通知を行う電子メールを送信する場合について説明したが、これに限定されるものではなく、電子メールの送信先としてはＰＤＡ、携帯型ノートパーソナルコンピュータなどのユーザーが携帯する携帯端末や、ユーザーの行き先例えば会社のパーソナルコンピュータの電子メールアドレスに送信するようにしてもよい。
【００３３】
さらにまた、上記実施形態においては、緊急放送受信通知を行う電子メールを送信後に携帯電話機２３からの緊急放送データ要求があったときに緊急放送データを添付した電子メールを送信する場合について説明したが、これに限定されるものではなく、テレビ付き携帯電話機等で緊急放送を確認できる手段を有する場合には、緊急放送データの送信を省略するようにしてもよい。
【００３４】
なおさらに、上記実施形態においては、緊急放送用アラーム音を出力した後にリモコンが操作されたときにユーザーが在室しているものと判断する場合について説明したが、これに限定されるものではなく、ユーザーがＴＶ本体のスイッチを操作した場合にもこれを検出してユーザーが在室しているものと判断するようにしてもよい。
【図面の簡単な説明】
【００３５】
【図１】本発明の一実施形態を示すブロック図である。
【図２】図１のコントローラ３０で実行する緊急放送受信処理手順の一例を示すフローチャートである。
【図３】コントローラ３０で実行する緊急放送受信処理の他の例を示すフローチャートである。
【符号の説明】
【００３６】
１…緊急放送報知装置、２…デジタル放送受信部、３…緊急放送受信通知部、１１…アンテナ、１２…チューナ部、１３…デマルチプレクサ部、１４…ＭＰＥＧデコーダ、１５…映像処理部、１６…表示装置、１７…音声処理部、１８…スピーカ、２１…緊急放送データ記憶部、２２…緊急放送ビット検出部、２３…携帯電話機、２４…インターネット、２５…基地局、３０…コントローラ、３１…リモコン、３２…リモコン受信部、３３…データ記憶部
【図１】
2006229284.tif 000003
【図２】
2006229284.tif 000004
【図３】
2006229284.tif 000005